【事件の表示】
　国際登録第１０３９１２３号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲１のとおりの構成からなり、第１２類、第２０類及び第２８類に属する日本国を指定する国際登録において指定された商品を指定商品として、２０１０年（平成２２年）１月１２日に中華人民共和国においてした商標登録出願に基づいてパリ条約第４条による優先権を主張し、同年２月１０日に国際商標登録出願されたものである。
　その後、本願の指定商品については、原審における平成２３年１月７日付けの手続補正書により、第１２類「Ｐｕｓｈｃｈａｉｒｓ；ｔｒｏｌｌｅｙｓ；ｓａｆｅｔｙ　ｓｅａｔｓ　ｆｏｒ　ｃｈｉｌｄｒｅｎ，ｆｏｒ　ｖｅｈｉｃｌｅｓ；ａｅｒｉａｌ　ｃｏｎｖｅｙｏｒｓ；ｔｉｒｅｓ　ｆｏｒ　ｖｅｈｉｃｌｅ　ｗｈｅｅｌｓ；ｂｉｃｙｃｌｅｓ；ｆｏｌｄａｂｌｅ　ｌｕｇｇａｇｅ　ｂａｒｒｏｗｓ；ｔｒｉｃｙｃｌｅｓ；ｅｌｅｃｔｒｉｃ　ｖｅｈｉｃｌｅｓ；ｖｅｈｉｃｌｅｓ　ｆｏｒ　ｌｏｃｏｍｏｔｉｏｎ　ｂｙ　ｌａｎｄ，ａｉｒ，ｗａｔｅｒ　ｏｒ　ｒａｉｌ；ｅｌｅｃｔｒｉｃ　ｂｉｃｙｃｌｅｓ．」、第２０類「Ｂａｓｓｉｎｅｔｔｅｓ；ｃｏｔｓ；ｆｕｒｎｉｔｕｒｅ；ｂｅｄｓ；ｈｉｇｈ　ｃｈａｉｒｓ　ｆｏｒ　ｂａｂｉｅｓ；ｉｎｆａｎｔ　ｗａｌｋｅｒｓ；ｍｉｒｒｏｒｓ　（ｌｏｏｋｉｎｇ　ｇｌａｓｓｅｓ　ｎｏｎ　ｐｏｒｔａｂｌｅ）；ｆｕｒｎｉｔｕｒｅ　ｆｉｔｔｉｎｇｓ，ｎｏｔ　ｏｆ　ｍｅｔａｌ；ｃｕｓｈｉｏｎｓ；ｌｏｃｋｓ，ｏｔｈｅｒ　ｔｈａｎ　ｅｌｅｃｔｒｉｃ，ｎｏｔ　ｏｆ　ｍｅｔａｌ；ｂａｋｅｒｓ’　ｂｒｅａｄ　ｂａｓｋｅｔｓ；ｐｌａｙｐｅｎｓ　ｆｏｒ　ｂａｂｉｅｓ；ｄｉｓｐｌａｙ　ｂｏａｒｄｓ；ｄｅｃｏｒａｔｉｏｎｓ　ｏｆ　ｐｌａｓｔｉｃ　ｆｏｒ　ｆｏｏｄｓｔｕｆｆｓ；ｋｅｎｎｅｌｓ　ｆｏｒ　ｈｏｕｓｅｈｏｌｄ　ｐｅｔｓ」及び第２８類「Ｇａｍｅｓ；ｅｌｅｃｔｒｏｍｏｔｉｖｅ　ｔｏｙ　ｖｅｈｉｃｌｅｓ；ｅｌｅｃｔｒｏｍｏｔｉｖｅ　ｒｉｄｅ−ｏｎ　ｔｏｙ　ｖｅｈｉｃｌｅｓ；ｔｏｙｓ；ｃｈｅｓｓ；ｂａｌｌｓ　ｆｏｒ　ｇａｍｅｓ；ｓｔａｔｉｏｎａｒｙ　ｅｘｅｒｃｉｓｅ　ｂｉｃｙｃｌｅｓ；ａｒｃｈｅｒｙ　ｉｍｐｌｅｍｅｎｔｓ；ｂａｒ−ｂｅｌｌｓ；ｓｗｉｍｍｉｎｇ　ｐｏｏｌｓ，ｂｅｉｎｇ　ｐｌａｙ　ａｒｔｉｃｌｅｓ；ｐｌａｓｔｉｃ　ｔｏｙ　ｒａｃｅｔｒａｃｋ；ｗｒｉｓｔ　ｇｕａｒｄｓ　ｆｏｒ　ａｔｈｌｅｔｉｃ　ｕｓｅ；ｉｃｅ　ｓｋａｔｅｓ；Ｃｈｒｉｓｔｍａｓ　ｔｒｅｅｓ　ｏｆ　ｓｙｎｔｈｅｔｉｃ　ｍａｔｅｒｉａｌ；ｔｏｙ　ｃａｒｓ；ｄｏｌｌｓ；ｆｉｓｈｉｎｇ　ｔａｃｋｌｅ．」に補正されたものである。
２　引用商標
　原査定において、本願商標が商標法第４条第１項第１１号に該当するとして、本願の拒絶の理由に引用した登録第４９８５６４４号（以下「引用商標」という。）は、別掲２のとおりの構成からなり、平成１８年１月１２日に登録出願、第９類「耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ，電子出版物」を指定商品として、同年９月８日に設定登録され、現に有効に存続しているものである。
３　当審の判断
　（１）本願商標について
　本願商標は、別掲１のとおり、「ｇ」及び「ｂ」の各欧文字をモチーフとして、それぞれに独特の図案化を施し、互いを近接して配した構成からなるものであって、一種のロゴマークとして認識される商標と認められるものである。
　そうすると、本願商標からは、「ジービー」の称呼を生じるものであるが、直ちに特定の観念を生じないものと認める。
　（２）引用商標について
　引用商標は、別掲２のとおり、「ｇ」及び「ｂ」の各欧文字と、黒塗りハート図形とを横一列に書してなるところ、当該２文字及び図形は、格別特徴のある書体及び図形とまでは認められず、それぞれを同程度の大きさをもって、等間隔にまとまりよく一体的に表されているものである。すなわち、黒塗りハート図形は、末尾に位置するものの、小さく付記的に表されているとか、文字部分とは離れているとか、多数の文字列の最後にあるとかというものではなく、わずか２文字の後に、同程度の大きさで、等間隔に配置されているものである。そして、近時では、ハート図形は、「ハート」と称呼されるだけでなく、文字と並べて「ラブ」と称呼することもよく知られているといえるから、引用商標は、その構成全体から「ジービーハート」ないし「ジービーラブ」の称呼が生じるものと考えられるところ、これらの称呼も無理なく一連に称呼し得るものであるから、殊更「ｇｂ」の文字部分のみが強く支配的な印象を与えるとは言い難い。したがって、引用商標から「ｇｂ」部分を抽出し、この部分だけを他人の商標と比較して商標そのものの類否を判断することは、許されないというべきである。
　そうすると、引用商標は、「ジービー」の称呼が生じる以外にも、「ジービーハート」ないし「ジービーラブ」の称呼も生じるものであり、また、構成全体として特定の観念を生じないものの、黒塗りハート図形部分から「ハート」の観念も生じ得るものというのが相当である。
　（３）本願商標と引用商標の類否について
　本願商標と引用商標は、外観については、それぞれの構成態様に照らし、明らかな差異を有するものであるから、明確に区別できるものである。
　そして、称呼については、本願商標からは、「ジービー」の称呼のみが生じるのに対し、引用商標からは、「ジービー」の称呼のほか、「ジービーハート」ないし「ジービーラブ」の称呼も生じるものであるから、同じ場合と異なる場合があり得るが、後者との関係では、その音数及び音構成が明らかに相違する。
　さらに、観念については、両商標は全体として特定の観念を生じないものであるから、比較することができないものの、引用商標からは、本願商標からは生じ得ない「ハート」の観念も生じ得る点で、その限りにおいて観念についても類似するとは言い難いものである。
　以上を総合的に考慮すると、本願商標と引用商標は、両商標の外観は明確に区別できる上、称呼上も、同じ場合だけでなく異なる場合もあるから、たとえ両商標が、観念につき全体として比較できないとしても、誤認混同のおそれがなく、非類似の商標というべきである。
　（４）まとめ
　したがって、本願商標が商標法第４条第１項第１１号に該当するとして本願を拒絶した原査定は、取消しを免れない。
　その他、本願について拒絶の理由を発見しない。
　よって、結論のとおり審決する。